(57)【要約】【課題】建設プロジェクトの情報を簡単に、且つ、確実に保管する。【解決手段】ユーザ端末２と、建設プロジェクト情報を管理する建設プロジェクト管理サーバ１とが、通信回線を介して接続される建設プロジェクト管理システム１００は、入力手段２６と、送信手段２５と、を備えている。この建設プロジェクト管理サーバ１に、送信手段２５により送信された識別番号付きの動的情報を格納する動的情報記憶手段１６と、送信手段２５により送信された識別番号付きの静的情報を格納する静的情報記憶手段１７と、動的情報が所定の条件を満たしたと判断した場合に、当該動的情報に基づいて静的情報を作成し、作成された静的情報を静的情報記憶手段１７に記憶する情報管理手段１１，１２，１３と、を備えた。【選択図】　　　　図１
2004139230.tif 000002
【特許請求の範囲】
【請求項１】
ユーザ端末に通信回線を介して接続され、建設プロジェクト情報を管理する建設プロジェクト管理サーバであって、
前記建設プロジェクト情報のうち、建設プロジェクトを遂行するにあたり、時間の経過に伴って内容が変化し、識別番号が付された動的情報を格納する動的情報記憶手段と、
前記建設プロジェクト情報のうち、内容が確定され、識別番号が付された静的情報を格納する静的情報記憶手段と、
前記動的情報が所定の条件を満たしたと判断した場合に、当該動的情報に基づいて静的情報を作成し、作成された静的情報を前記静的情報記憶手段に格納する情報管理手段と、
を備えることを特徴とする建設プロジェクト情報管理サーバ。
【請求項２】
請求項１に記載の建設プロジェクト情報管理サーバにおいて、
前記情報管理手段は、
所定の条件を満たしたと判断された動的情報の中から、予め設定された項目の情報を抽出して静的情報を作成する作成手段を備えることを特徴とする建設プロジェクト情報管理サーバ。
【請求項３】
請求項２に記載の建設プロジェクト情報管理サーバにおいて、
前記作成手段が動的情報から静的情報を作成した場合に、
作成された静的情報の識別番号を変換する識別番号変換手段を備えることを特徴とする建設プロジェクト情報管理サーバ。
【請求項４】
請求項１〜３のいずれか一項に記載の建設プロジェクト情報管理サーバにおいて、
所定の対価の支払情報の入力を確認する支払情報確認手段を備え、
前記情報管理手段を、
前記支払情報確認手段により前記支払情報の入力が確認されたことに基づいて、動作するように構成したことを特徴とする建設プロジェクト情報管理サーバ。
【請求項５】
請求項１〜４のいずれか一項に記載の建設プロジェクト情報管理サーバにおいて、
計時手段を備え、
前記情報管理手段を、前記計時手段により所定の時間が経過したことに基づいて、動作するように構成したことを特徴とする建設プロジェクト情報管理サーバ。
【請求項６】
ユーザ端末と、建設プロジェクト情報を管理する建設プロジェクト管理サーバとが、通信回線を介して接続される建設プロジェクト管理システムであって、
前記ユーザ端末は、
前記建設プロジェクト情報のうち、建設プロジェクトを遂行するにあたり時間の経過に伴って内容が変化する動的情報と、内容が確定された静的情報とを識別番号を付して入力する入力手段と、
前記入力手段により入力された前記動的情報及び前記静的情報を前記建設プロジェクト管理サーバに送信する送信手段と、を備え、
前記建設プロジェクト管理サーバは、
前記送信手段により送信された識別番号付きの動的情報を格納する動的情報記憶手段と、
前記送信手段により送信された識別番号付きの静的情報を格納する静的情報記憶手段と、
前記動的情報が所定の条件を満たしたと判断した場合に、当該動的情報に基づいて静的情報を作成し、作成された静的情報を前記静的情報記憶手段に格納する情報管理手段と、
を備えることを特徴とする建設プロジェクト情報管理システム。
【発明の詳細な説明】
【０００１】
【発明の属する技術分野】
本発明は、建設プロジェクト情報管理サーバ及び建設プロジェクト情報管理システムに関する。
【０００２】
【従来の技術】
建設プロジェクトにおいては、施工管理や安全衛生管理等、多数の管理項目が存在し、現場の担当者を始め、管轄する支店や本社の担当者は、これらの管理項目を常に監視し把握することにより、短期間、低コストで建設プロジェクトを遂行できるよう、日々努力している。
建設プロジェクトにおいて発生する各種情報は、実行中の建設プロジェクトだけに限らず、将来、類似する建設プロジェクトを遂行する際に重要なデータとして活用することができる。そのため、建設プロジェクトにおける各情報は、建設プロジェクト終了間際に整理し、ファイルに綴じて保管している。
また、各種情報をファイルで綴じる以外に、ネットワークに接続されたコンピュータによって管理するものがある（例えば、特許文献１参照。）。
【０００３】
【特許文献１】
特開２００２−１８９８０３号公報　（第１頁、図２）
【０００４】
【発明が解決しようとする課題】
しかしながら、建設プロジェクトにおいて発生する情報は、内容が変化する動的情報や内容が確定した静的情報のように、種類の異なる情報が存在し、その量も膨大であるため、整理が困難であった。さらに、担当者の異動が行われる場合もあるため、必要な情報の選別が困難であった。にもかかわらず、これらの情報を簡単に、且つ、確実に管理する手段が講じられていなかった。
【０００５】
そこで、本発明の課題は、建設プロジェクトの情報を簡単に、且つ、確実に管理することができる建設プロジェクト情報管理サーバ及び建設プロジェクト情報管理システムを提供することである。
【０００６】
【課題を解決するための手段】
上記課題を解決するため、請求項１に記載の発明は、例えば、図１に示すように、ユーザ端末に通信回線を介して接続され、建設プロジェクト情報を管理する建設プロジェクト管理サーバ（例えば、ホストサーバ１）であって、前記建設プロジェクト情報のうち、建設プロジェクトを遂行するにあたり時間の経過に伴って内容が変化し、識別番号が付された動的情報を格納する動的情報記憶手段（例えば、動的情報データベース１６）と、前記建設プロジェクト情報のうち、内容が確定され、識別番号が付された静的情報を格納する静的情報記憶手段（例えば、静的情報データベース１７）と、前記動的情報が所定の条件を満たしたと判断した場合に、当該動的情報に基づいて静的情報を作成し、作成された静的情報を前記静的情報記憶手段（例えば、静的情報データベース１７）に格納する情報管理手段（例えば、ＣＰＵ１１，ＲＡＭ１２，ＲＯＭ１３）と、を備えることを特徴とする。
【０００７】
請求項１に記載の発明によれば、所定の条件を満たしたと判断した場合には、動的情報記憶手段に格納された動的情報に基づいて静的情報が作成され、作成された静的情報は静的情報記憶手段に格納される。よって、動的情報と静的情報とを明確に区別して取り扱うことができ、建設プロジェクトの情報を簡単に、且つ、確実に管理することができる。
【０００８】
請求項２に記載の発明は、例えば、図１に示すように、請求項１に記載の建設プロジェクト情報管理サーバ（例えば、ホストサーバ１）において、前記情報管理手段（例えば、ＣＰＵ１１，ＲＡＭ１２，ＲＯＭ１３）は、所定の条件を満たしたと判断された動的情報の中から、予め設定された項目の情報を抽出して静的情報を作成する作成手段（例えば、ＣＰＵ１１，ＲＡＭ１２，ＲＯＭ１３）を備えることを特徴とする。
【０００９】
請求項２に記載の発明によれば、情報管理手段は、所定の条件を満たしたと判断された動的情報の中から、予め設定された項目の情報を抽出して静的情報を作成する作成手段を備えるので、動的情報の内容が確定する度に、ユーザが静的情報に書き換える必要がなくなることとなって、作業の煩雑さを減らし、建設プロジェクトの情報を簡単に、且つ、確実に管理することができる。
【００１０】
請求項３に記載の発明は、例えば、図１に示すように、請求項２に記載の建設プロジェクト情報管理サーバ（例えば、ホストサーバ１）において、前記作成手段（例えば、ＣＰＵ１１，ＲＡＭ１２，ＲＯＭ１３）が動的情報から静的情報を作成した場合に、作成された静的情報の識別番号を変換する識別番号変換手段（例えば、ＣＰＵ１１，ＲＡＭ１２，ＲＯＭ１３）を備えることを特徴とする。
【００１１】
請求項３に記載の発明によれば、作成手段が動的情報から静的情報を作成した場合に、作成された静的情報の識別番号を変換する識別番号変換手段を備えるので、動的情報の内容が確定して静的情報が作成される度に、ユーザが作成された静的情報の識別番号を変換する必要がなくなることとなって、作業の煩雑さを減らし、建設プロジェクトの情報を簡単に、且つ、確実に管理することができる。
【００１２】
請求項４に記載の発明は、例えば、図１に示すように、請求項１〜３のいずれか一項に記載の建設プロジェクト情報管理サーバ（例えば、ホストサーバ１）において、所定の対価の支払情報の入力を確認する支払情報確認手段（例えば、ＣＰＵ１１，ＲＡＭ１２，ＲＯＭ１３）を備え、前記情報管理手段（例えば、ＣＰＵ１１，ＲＡＭ１２，ＲＯＭ１３）を、前記支払情報確認手段（例えば、ＣＰＵ１１，ＲＡＭ１２，ＲＯＭ１３）により前記支払情報の入力が確認されたことに基づいて、動作するように構成したことを特徴とする。
【００１３】
請求項４に記載の発明によれば、所定の対価の支払情報の入力を確認する支払情報確認手段を備え、情報管理手段を、支払情報確認手段により支払情報の入力が確認されたことに基づいて、動作するように構成したので、ＡＳＰ（Ａｐｐｌｉｃａｔｉｏｎ　Ｓｅｒｖｉｃｅ　Ｐｒｏｖｉｄｅｒ）等のサーバとして利用することができる。
【００１４】
請求項５に記載の発明は、例えば、図１に示すように、請求項１〜４のいずれか一項に記載の建設プロジェクト情報管理サーバ（例えば、ホストサーバ１）において、日時を計測する計時手段（例えば、時計部１４）を備え、前記情報管理手段（例えば、ＣＰＵ１１，ＲＡＭ１２，ＲＯＭ１３）を、前記計時手段（例えば、時計部１４）により所定の時間が経過したことに基づいて、動作するように構成したことを特徴とする。
【００１５】
請求項５に記載の発明によれば、日時を計測する計時手段を備え、情報管理手段を、計時手段により所定の時間が経過したことに基づいて、動作するように構成したので、動的情報及び静的情報を時系列で管理することができることとなって、建設プロジェクトの情報を簡単に、且つ、確実に管理することができる。
【００１６】
請求項６に記載の発明は、例えば、図１に示すように、ユーザ端末２と、建設プロジェクト情報を管理する建設プロジェクト管理サーバ（例えば、ホストサーバ１）とが、通信回線を介して接続される建設プロジェクト管理システム１００であって、前記ユーザ端末２は、前記建設プロジェクト情報のうち、建設プロジェクトを遂行するにあたり時間の経過に伴って内容が変化する動的情報と、内容が確定された静的情報とを識別番号を付して入力する入力手段（例えば、入力部２６）と、前記入力手段（例えば、入力部２６）により入力された前記動的情報及び前記静的情報を前記建設プロジェクト管理サーバ（例えば、ホストサーバ１）に送信する送信手段（例えば、送信部２５）と、を備え、前記建設プロジェクト管理サーバ（例えば、ホストサーバ１）は、前記送信手段（例えば、送信部２５）により送信された識別番号付きの動的情報を格納する動的情報記憶手段（例えば、動的情報データベース１６）と、前記送信手段（例えば、送信部２５）により送信された識別番号付きの静的情報を格納する静的情報記憶手段（例えば、静的情報データベース１７）と、前記動的情報が所定の条件を満たしたと判断した場合に、当該動的情報に基づいて静的情報を作成し、作成された静的情報を前記静的情報記憶手段（例えば、静的情報データベース１７）に格納する情報管理手段（例えば、ＣＰＵ１１，ＲＡＭ１２，ＲＯＭ１３）と、を備えることを特徴とする。
【００１７】
請求項６に記載の発明によれば、ユーザ端末は、入力手段と、送信手段と、を備え、建設プロジェクト管理サーバは、動的情報記憶手段と、静的情報記憶手段と、情報管理手段と、を備えるので、ユーザが入力手段から動的情報及び静的情報を入力し、送信手段によって動的情報及び静的情報を建設プロジェクト管理サーバに送信すると、動的情報は動的情報記憶手段に格納される。この動的情報は、情報管理手段によって、所定の条件を満たしたと判断した場合に、動的情報に基づいて静的情報を作成し、作成された静的情報を静的情報記憶手段に格納するので、動的情報と静的情報とを明確に区別して取り扱うことができ、建設プロジェクトの情報を簡単に、且つ、確実に管理することができる。
【００１８】
【発明の実施の形態】
以下、図面を参照して本発明に係る実施の形態である建設プロジェクト情報管理サーバ及び建設プロジェクト情報管理システムについて詳細に説明する。
図１に示すように、建設プロジェクト情報管理システム１００は、例えば、空港建設や都市開発等の建設プロジェクトを遂行するにあたって、日々発生する情報を蓄積し、この情報を実行中の建設プロジェクトや将来の建設プロジェクトを遂行する際のデータベースとして利用できるように、ＡＳＰ（Ａｐｐｌｉｃａｔｉｏｎ　Ｓｅｒｖｉｃｅ　Ｐｒｏｖｉｄｅｒ）を利用して構築したものである。ＡＳＰとは、ソフトウェアやハードウェアを使用する企業が個別に所有するのではなく、インターネット環境にて利用することのできるサービスのことである。
【００１９】
建設プロジェクト情報管理システム１００は、建設プロジェクトの情報を格納する建設プロジェクト情報管理サーバ（以下、ホストサーバという。）１、このホストサーバ１に情報の入力操作を行うユーザ端末２、利用者が選択したホストサーバ１内の静的情報を取り出して社内のデータベースに保存する社内サーバ３、ホストサーバ１への各情報の格納作業を代理する代行業者端末４等を備えている。
【００２０】
ホストサーバ１は、ＣＰＵ（Ｃｅｎｔｒａｌ　Ｐｒｏｃｅｓｓｉｎｇ　Ｕｎｉｔ）１１、ＲＡＭ（Ｒａｎｄｏｍ　Ａｃｃｅｓｓ　Ｍｅｍｏｒｙ）１２、ＲＯＭ（Ｒｅａｄ　Ｏｎｌｙ　Ｍｅｍｏｒｙ）１３、日時を計時する計時手段としての時計部１４、ユーザ端末２等との間で情報通信を行う通信部１５、時間の経過に伴って内容が変化する動的情報を格納する動的情報データベース１６、内容が確定された静的情報を格納する静的情報データベース１７等を備えている。
ここで、動的情報とは、建設プロジェクト情報のうち、建設プロジェクトを遂行するにあたり時間の経過に伴って内容が変化する情報のことであり、例えば、日々作成される工事日誌や、安全パトロールの記録等の情報である。静的情報とは、建設プロジェクト情報のうち、内容が確定された情報のことであり、例えば、建設プロジェクトのパンフレットや、発注者に提出する契約書、設計書等の情報である。
【００２１】
ＣＰＵ１１、ＲＡＭ１２、ＲＯＭ１３は、それぞれ公知のものであり、ＲＯＭ１３内に記憶された実行プログラムを、ＲＡＭ１２を作業領域としてＣＰＵ１１で実行するように構成されている。
ＣＰＵ１１は、ＲＡＭ１２、ＲＯＭ１３とともに、例えば、動的情報が所定の条件を満たしたと判断した場合に、動的情報に基づいて静的情報を作成し、作成された静的情報を静的情報データベース１７に格納する情報管理手段として機能する。また、ＣＰＵ１１は、ＲＡＭ１２、ＲＯＭ１３とともに、所定の条件を満たしたと判断された動的情報の中から、予め設定された項目の情報を抽出して静的情報を作成する作成手段として機能したり、作成された静的情報の識別番号を変換する識別番号変換手段として機能したり、ホストサーバ１の管理者に使用料が支払われているかを確認する支払情報確認手段として機能する。
【００２２】
時計部１４は、動的情報や静的情報が入力された日時、ＡＳＰの使用料が支払われた日時を計時して管理するものである。
通信部１５は、モデム、ターミナルアダプタ、ルータ等によって構成され、電話回線、ＡＤＳＬ回線等の通信回線を介して、ユーザ端末２、社内サーバ３、代行業者端末４との間で指示信号や各情報の送受信を行うものである。
動的情報データベース１６は、動的情報を格納するものであり、ハードディスク等から構成されている。
静的情報データベース１７は、静的情報を格納するものであり、ハードディスク等から構成されている。
【００２３】
ユーザ端末２は、ＣＰＵ２１、ＲＡＭ２２、ＲＯＭ２３、日時を計時する時計部２４、ホストサーバ１又は代行業者端末４に動的情報及び静的情報を送信する送信手段としての送信部２５、各情報を入力する入力手段としての入力部２６等を備えている。
入力部２６は、例えば、キーボードやタッチパネル等であり、この入力部２６を操作して各情報を入力する。
なお、他の構成要素の機能は、上述のホストサーバ１に備えているものと同様のものであるため、説明を省略する。
【００２４】
社内サーバ３は、建設プロジェクトに参画している企業ごとに所有するものであり、ＣＰＵ３１、ＲＡＭ３２、ＲＯＭ３３、日時を計時する時計部３４、ホストサーバ１との間で情報通信を行う通信部３５、ホストサーバ１から取り出した静的情報を保存する保存情報データベース３６等を備えている。
保存情報データベース３６は、発注者等に提示する静的情報を保存するものであり、ハードディスク等から構成されている。なお、他の構成要素の機能は、上述のホストサーバ１に備えているものと同様のものであるため、説明を省略する。
【００２５】
代行業者端末４は、代行業者が建設プロジェクトに参画している企業の担当者に代わって、動的情報や静的情報をホストサーバ１に入力操作する際に用いられ、ＣＰＵ４１、ＲＡＭ４２、ＲＯＭ４３、日時を計時する時計部４４、ホストサーバ１等との間で情報通信を行う通信部４５等を備えている。なお、これらの構成要素の機能は、上述のホストサーバ１に備えているものと同様のものであるため、説明を省略する。
【００２６】
次に、以上のように構成された建設プロジェクト情報管理システム１００における各動作機能についてフローチャートを用いて説明する。
図２に示すように、例えば、ユーザである現場の担当者は、階層ごとに分類した建設プロジェクトの動的情報及び静的情報に識別番号を付ける（Ｓ１）。次いで、担当者は、識別番号を付与した各情報をユーザ端末２の入力部２６から入力する（Ｓ２）。各情報が入力され、担当者が送信の指示を与えると、送信部２５は、入力された各情報をホストサーバ１に送信する（Ｓ３）。
【００２７】
なお、動的情報及び静的情報は、担当者が必ずしもホストサーバ１に入力する必要はなく、代行業者に依頼し、代行業者端末４からホストサーバ１に入力することも可能である。この場合、担当者が送信部２５を介して代行業者端末４に識別番号を付して電子化した各情報を送信し、通信部４５を介して各情報を受信した代行業者がこれらの各情報を通信部４５からホストサーバ１に送信する。代行業者は、識別番号で各情報を操作することとなるので、建設業界に精通している者でなくても容易に行えるようになっている。
なお、担当者が電子化せずに各情報を代行業者に渡し、代行業者が識別番号を付与して電子化した各情報をホストサーバ１に送信するようにしてもよい。
【００２８】
図５は、ホストサーバ１に送信される識別番号を付けた動的情報及び静的情報の一覧表である。ここで、第４階層に項目が記載されているものが動的情報であり、動的情報データベース１６に格納される。また、第４階層に項目が記載されていないもの、すなわち、第４階層の識別番号が「００」のものは静的情報であり、静的情報データベース１７に格納される。
【００２９】
具体例を挙げて説明すると、図５に示すように、発注者との契約書に関する情報は、識別番号が「０１０１０１００」であり、第４階層に相当する下２桁の番号が「００」であるため、静的情報である。また、発注者に提出する施工計画書に関する情報は、原図の段階であれば識別番号が「０３０２０１０１」、作成中であれば「０３０２０１０２」、提出したものであれば「０３０２０１０３」となる。これらは、施工計画書の作成状況によって変化する情報であるため、動的情報である。
【００３０】
送信部２５から送信された静的情報及び動的情報は、ホストサーバ１の通信部１５で受信し（Ｓ４）、ＣＰＵ１１が各情報をＲＡＭ１２に格納する。
次いで、ＣＰＵ１１が銀行等のサーバにアクセスして、ホストサーバ１の管理者にＡＳＰの使用料が支払われているかを確認する（Ｓ５）。ここで、使用料が未払いであれば、ホストサーバ１を使用することは許されないので、ホストサーバ１への進入を遮断される。
使用料が支払われていれば、ＣＰＵ１１が送信元のコンピュータアドレス等に基づいて、各情報の送信者がＡＳＰの契約者であるかどうかを確認する（Ｓ６）。代行業者が各情報を代理で送信した場合には、担当者の認証がなければ、各情報を消去する（Ｓ７）。
担当者が送信するか、あるいは、代行業者が送信した各情報を担当者が認証すると、ＣＰＵ１１は、ＲＯＭ１３に格納されたプログラムを起動させ、動的情報を動的情報データベース１６に格納し、静的情報を静的情報データベース１７に格納する。なお、格納する際には、時計部１４によって格納された日時が書き込まれる（Ｓ８）。
【００３１】
続いて、動的情報データベース１６に格納された動的情報に基づいて、静的情報を作成する各動作機能について説明する。
図３に示すように、担当者が事前に設定した日時から時計部１４が計時し（Ｓ９）、所定の時間が経過すると（Ｓ１０）、ＣＰＵ１１がＲＯＭ１３に格納されたプログラムを起動させ、予め設定された項目の動的情報を抽出して静的情報を作成する（Ｓ１１）。次いで、静的情報の作成に伴い、ＣＰＵ１１はＲＯＭ１３に格納されたプログラムを起動させ、識別番号を変換する（Ｓ１２）。次いで、作成された静的情報を静的情報データベース１７に格納する（Ｓ１３）。
なお、ＣＰＵ１１は、静的情報が静的情報データベース１７に格納されてから所定の時間経過後に、ＲＯＭ１３からプログラムを読み込んで、静的情報を静的情報データベース１７から消去する。これは、静的情報データベース１７のオーバーフローを防ぐためである。消去する情報量は、担当者が事前に設定しておく。また、上述の所定の時間は、各データベース１６，１７の容量に合わせて決定される。また、全ての動的情報を静的情報として作成してもよい。
【００３２】
続いて、静的情報データベース１７に格納された静的情報のうち、保存しておきたい情報を社内サーバ３に保存する場合の各動作機能について説明する。
図４に示すように、社内サーバ３の入力部３７から静的情報データベース１７に格納された静的情報を取り出す指示操作を行い、この指示信号をＣＰＵ３１が通信部３５を介してホストサーバ１に送信する（Ｓ１４）。ホストサーバ１の通信部１５は、指示信号を受信し（Ｓ１５）、指示信号に基づいて社内サーバ３に送信する静的情報を、通信部１５を介して社内サーバ３に送信する（Ｓ１６）。次いで、送信された静的情報を社内サーバ３の通信部３５が受信し（Ｓ１７）、ＣＰＵ３１がＲＯＭ３３に格納されたプログラムを読み込んで静的情報を保存情報データベース３６に格納する（Ｓ１８）。
【００３３】
本実施の形態の建設プロジェクト情報管理サーバ１及び建設プロジェクト情報管理システム１００によれば、現場の担当者がユーザ端末２から動的情報及び静的情報を入力し、ホストサーバ１に送信すると、動的情報と静的情報はそれぞれ別個の場所に格納される。また、所定の条件を満たしたと判断した場合に、動的情報に基づいて静的情報が作成され、作成された静的情報が静的情報データベース１７に記憶されるので、動的情報と静的情報とを明確に区別して取り扱うことができ、建設プロジェクトの情報を簡単に、且つ、確実に管理することができる。
【００３４】
また、所定の条件を満たしたと判断された動的情報の中から、予め設定された項目の動的情報を抽出して静的情報が作成されるので、動的情報の内容が確定する度に、担当者が静的情報に書き換える必要がなくなることとなって、作業の煩雑さを減らし、建設プロジェクトの情報を簡単に、且つ、確実に管理することができる。
【００３５】
また、動的情報から静的情報を作成した場合に、作成された静的情報の識別番号を変換するので、動的情報の内容が確定して静的情報が作成される度に、担当者が作成された静的情報の識別番号を変換する必要がなくなることとなって、作業の煩雑さを減らし、建設プロジェクトの情報を簡単に、且つ、確実に管理することができる。
【００３６】
また、ホストサーバ１への使用料の支払情報の入力が確認されたことに基づいて、動的情報から静的情報を作成するように構成されているので、ＡＳＰのサーバとして利用することができる。
【００３７】
また、時計部１４により所定の時間が経過したことに基づいて、動的情報から静的情報を作成するように構成されているので、動的情報及び静的情報を時系列で管理することができることとなって、建設プロジェクトの情報を簡単に、且つ、確実に管理することができる。
【００３８】
なお、本発明は、上記実施の形態に限定されるものではない。例えば、動的情報から静的情報を作成する場合の条件は、経過時間に限らず、各工程が終了する度に行うようにしてもよい。また、本システムに工事予算の項目を加え、コスト管理をすることも可能である。その他、発明の要旨を変更しない範囲内であれば、自由に設計変更が可能である。
【００３９】
【発明の効果】
請求項１に記載の発明によれば、所定の条件を満たしたと判断した場合には、動的情報記憶手段に格納された動的情報に基づいて静的情報が作成され、作成された静的情報は静的情報記憶手段に格納される。よって、動的情報と静的情報とを明確に区別して取り扱うことができ、建設プロジェクトの情報を簡単に、且つ、確実に管理することができる。
【００４０】
請求項２に記載の発明によれば、情報管理手段は、所定の条件を満たしたと判断された動的情報の中から、予め設定された項目の情報を抽出して静的情報を作成する作成手段を備えるので、ユーザの作業の煩雑さを減らし、建設プロジェクトの情報を簡単に、且つ、確実に管理することができる。
【００４１】
請求項３に記載の発明によれば、作成手段が動的情報から静的情報を作成した場合に、作成された静的情報の識別番号を変換する識別番号変換手段を備えるので、ユーザの作業の煩雑さを減らし、建設プロジェクトの情報を簡単に、且つ、確実に管理することができる。
【００４２】
請求項４に記載の発明によれば、所定の対価の支払情報の入力を確認する支払情報確認手段を備え、情報管理手段は、支払情報確認手段により支払情報の入力が確認されたことに基づいて、動作するように構成されているので、ＡＳＰ（Ａｐｐｌｉｃａｔｉｏｎ　Ｓｅｒｖｉｃｅ　Ｐｒｏｖｉｄｅｒ）等のサーバとして利用することができる。
【００４３】
請求項５に記載の発明によれば、日時を計測する計時手段を備え、前記情報管理手段は、計時手段により所定の時間が経過したことに基づいて、動作するように構成されているので、動的情報及び静的情報を時系列で管理することができることとなって、建設プロジェクトの情報を簡単に、且つ、確実に管理することができる。
【００４４】
請求項６に記載の発明によれば、ユーザ端末は、入力手段と、送信手段と、を備え、建設プロジェクト管理サーバは、動的情報記憶手段と、静的情報記憶手段と、情報管理手段と、を備えるので、動的情報と静的情報とを明確に区別して取り扱うことができ、建設プロジェクトの情報を簡単に、且つ、確実に管理することができる。
【図面の簡単な説明】
【図１】本発明の実施の形態における建設プロジェクト情報管理システムの全体構成を示すブロック図である。
【図２】上記実施の形態におけるユーザ端末に入力された動的情報及び静的情報を建設プロジェクト情報管理サーバに送信する各動作機能を示すフロー図である。
【図３】上記実施の形態における動的情報データベースに格納された動的情報に基づいて、静的情報を作成する各動作機能を示すフロー図である。
【図４】上記実施の形態における保存しておきたい静的情報を社内サーバに保存する場合の各動作機能機能を示すフロー図である。
【図５】上記実施の形態における建設プロジェクト情報管理サーバに入力される動的情報及び静的情報の一例を示す図である。
【符号の説明】
１　　　　建設プロジェクト情報管理サーバ
１１　　　ＣＰＵ（情報管理手段、作成手段、識別番号変換手段、支払情報確認手段）
１２　　　ＲＡＭ（情報管理手段、作成手段、識別番号変換手段、支払情報確認手段）
１３　　　ＲＯＭ（情報管理手段、作成手段、識別番号変換手段、支払情報確認手段）
１４　　　時計部
１６　　　動的情報データベース
１７　　　静的情報データベース
２　　　　ユーザ端末
２５　　　送信部
２６　　　入力部
１００　　建設プロジェクト情報管理システム
【図１】
2004139230.tif 000003
【図２】
2004139230.tif 000004
【図３】
2004139230.tif 000005
【図４】
2004139230.tif 000006
【図５】
2004139230.tif 000007